(57)【要約】【課題】比較的厚い挟持物を簡単な操作で挟持しやすいクリップを有する筆記具を提供する。【解決手段】クリップと軸筒またはキャップとの連結部を支点とし、該軸筒またはキャップに対し前記クリップを、シーソー状に傾動可能に配設したクリップを有する筆記具であって、前記クリップの底壁面に前記軸筒またはキャップ側に向かって延びる凸部を、及び該凸部に対向する軸筒またはキャップに突起部を形成し、前記凸部と前記突起間にバネ材を、前記クリップの傾動に連動して傾動し、該クリップの傾斜とは逆方向に傾斜するように配設することにより、前記クリップの先端部に比べ後端部が軸筒またはキャップから離間した傾斜を維持した状態から前記クリップの後端部に比べ先端部が軸筒またはキャップから離間した傾斜を維持した状態を切り替え可能とする。【選択図】          図２
2005178321.tif 000002
【特許請求の範囲】
【請求項１】
クリップと軸筒またはキャップとの連結部を支点とし、該軸筒またはキャップに対し前記クリップを、シーソー状に傾動可能に配設したクリップを有する筆記具であって、前記クリップの底壁面に前記軸筒またはキャップ側に向かって延びる凸部を、及び該凸部に対向する軸筒またはキャップに突起部を形成し、前記凸部と前記突起間にバネ材を、前記クリップの傾動に連動して傾動し、該クリップの傾斜とは逆方向に傾斜するように配設することにより、前記クリップの先端部に比べ後端部が軸筒またはキャップから離間した傾斜を維持した状態から前記クリップの後端部に比べ先端部が軸筒またはキャップから離間した傾斜を維持した状態を切り替え可能としたことを特徴とするクリップを有する筆記具。
【請求項２】
前記クリップの後端部を、前記支点より軸筒後端側に延出して形成するとともに、該クリップの後端部と対向する軸筒またはキャップの外壁間に挟持物を挟持可能としたことを特徴とする請求項１に記載のクリップを有する筆記具。
【請求項３】
前記クリップの後端部の底壁に、係止凸部を形成したことを特徴とする請求項２に記載のクリップを有する筆記具
【発明の詳細な説明】
【技術分野】
【０００１】
本発明は、クリップを有する筆記具に関し、さらに詳しくは、クリップと軸筒またはキャップとの連結部を支点とし、軸筒またはキャップに対し、シーソー状に傾動可能にクリップを配設した筆記具に関する。
【背景技術】
【０００２】
従来から、クリップを有する筆記具は、よく知られている。従来のクリップを有する筆記具は、クリップの先端部側のみがポケット等の布地に挟着可能であった。そのため、係止部と反対側の後端部にポケット等の布地を挟着するには、実開平３−６２８９１号公報「シャープペンシルのキャップホルダー」のように、クリップの係止部と逆方向に延びる新たな係止部を形成する必要があった。
【０００３】
また、クリップを有する筆記具として、実開昭６３−５１７８８号公報「筆記クランプ用具」や特開２００１−１４６０９４号公報「筆記具のクリップ取付装置」に開示されているように、クリップの後端側に延出した後端部を押圧することにより、先端側の係止部を軸筒またはキャップから離間可能に配設した構造もよく知られている。
【０００４】
こうした構造は、ポケット等の挟持物を挟持する時に、係止部と軸筒またはキャップに間隙を形成できるので挟持しやすくなり、特に厚手の衣服など、ある程度の厚さを有する挟持物を挟持するのに有効である。
【特許文献１】「実開昭６３−５１７８８号公報」
【特許文献２】「特開２００１−１４６０９４号公報」
【特許文献３】「実開平３−６２８９１号公報」
【発明の開示】
【発明が解決しようとする課題】
【０００５】
しかし、クリップの後端側に延出した後端部を押圧することにより、先端側の係止部を軸筒またはキャップから離間可能とする構造は、常に後端部を押圧した状態を維持する必要があった。
【０００６】
本発明の目的は、上述した従来の問題点に鑑み、比較的厚い挟持物を簡単な操作で挟持しやすいクリップを有する筆記具を提供することである。
【課題を解決するための手段】
【０００７】
本発明は、クリップと軸筒またはキャップとの連結部を支点とし、該軸筒またはキャップに対し前記クリップを、シーソー状に傾動可能に配設したクリップを有する筆記具であって、前記クリップの底壁面に前記軸筒またはキャップ側に向かって延びる凸部を、及び該凸部に対向する軸筒またはキャップに突起部を形成し、前記凸部と前記突起間にバネ材を、前記クリップの傾動に連動して傾動し、該クリップの傾斜とは逆方向に傾斜するように配設することにより、前記クリップの先端部に比べ後端部が軸筒またはキャップから離間した傾斜を維持した状態から前記クリップの後端部に比べ先端部が軸筒またはキャップから離間した傾斜を維持した状態を切り替え可能とする。
【０００８】
前記クリップの後端部を、前記支点より軸筒後端側に延出して形成するとともに、該クリップの後端部と対向する軸筒またはキャップの外壁間に挟持物を挟持可能としたことを特徴とする。
【０００９】
前記クリップの後端部の底壁に、係止凸部を形成したことを特徴とする。
【発明の効果】
【００１０】
本発明は、比較的厚い挟持物を簡単な操作で挟持しやすいクリップを有する筆記具を提供することができた。
【発明を実施するための最良の形態】
【００１１】
クリップを有する筆記具において、比較的厚い挟持物を簡単な操作で挟持しやすいという目的を、簡単な構造で実現した。
【実施例１】
【００１２】
図１から図５に示すクリップを有する筆記具１は、軸筒２にボールペンレフィル８がコイルスプリング１２によって軸筒後端２ｂ方向に付勢された状態で収納されている。ボールペンレフィル８の構造は、従来から知られているもので、インキ収容管９内に筆記具用インキ（図示せず）を収容し、インキ収容管９の先端部に、ボールを回転自在に抱持したボールペンチップ１１を、チップホルダー１０を介して装着してある。
【００１３】
ボールペンチップ１１を軸筒２の先端開口部２ａから出没させる機構も、従来から知られているもので、簡単に説明すると、軸筒２の底壁面に回転カム１４を前後に摺動案内し回転させるためのカム溝（図示せず）を形成し、このカム溝に、回転カム１４に形成した突起を係合して配設してある。回転カム１４の後端には、前記回転カム１４を摺動し回転を付与するためのカム部を先端に有したノック体１３を、ノック体１３の後端部が軸筒後端２ｂより外方に突出した状態に配設した構造である。
【００１４】
軸筒２の後端部にはクリップ３を付設してある。図１、図２に示すように、クリップ３は、軸筒２との連結部を支点４とし、軸筒２に対しクリップ３をシーソー状に傾動可能に、クリップの先端部３ａ側に比べ後端部３ｂ側が軸筒２から離間した傾斜状態を維持して配設してある。
【００１５】
また、クリップ３の底壁面に、軸筒２側に向かって延びる略三角形状の凸部５と、この凸部５に対向する軸筒２に、略三角形状の突起部６を形成してある。この凸部５と突起部６間に略Ｕ字状のバネ材７を配設してあり、クリップ３の軸筒２の後端２ｂ側に延出した後端部３ｂを押圧（図２、３、４の矢印Ｍ方向）またはクリップの先端部３ａ側を持ち上げる（図２、３、４の矢印Ｆ方向）ことにより、クリップ３の先端部３ａを軸筒２から離間可能に配設してある。
【００１６】
図１、２に示す、クリップの先端部３ａに比べ後端部３ｂが軸筒２から離間した傾斜状態からクリップ３の軸筒２の後端２ｂ側に延出した後端部３ｂを押圧（図２、３、４の矢印Ｍ方向）またはクリップの先端部３ａ側を持ち上げる（図２、３、４の矢印Ｆ方向）ことにより、クリップ３と軸筒２との連結部の支点４と、凸部５とバネ材７との接点Ｓを通る線Ｊに対し、突起部６とバネ材７との接点Ｔが軸筒後端２ｂ側に位置すると、バネ材７は、クリップ３の傾動に連動してクリップ３の傾斜とは逆方向に傾斜し、クリップ後端部３ｂ側に働いていたバネ材７の弾発力がクリップ先端部３ａ側に変化する。その結果、図４に示すように、クリップの後端部３ｂに比べ先端部３ａが軸筒２から離間した傾斜状態に切り替わり、この状態が維持される。
【００１７】
詳述すると、図１、図２に示すような、クリップの先端部３ａに比べ後端部３ｂが軸筒２から離間した傾斜状態では、後端部３ｂの押圧（図２、３、４の矢印Ｍ方向）またはクリップの先端部３ａ側を持ち上げる（図２、３、４の矢印Ｆ方向）ことにより、クリップの先端部３ａは、対向する軸筒２から離間し、支点４と、凸部５とバネ材７との接点Ｓを通る線Ｊ上に、突起部６とバネ材７との接点Ｔが位置する状態（図３の状態）までは、後端部３ｂの押圧またはクリップの先端部３ａ側を持ち上げる（図２、３、４の矢印Ｆ方向）のをやめると、バネ材７の弾発力によって元の状態（図１、２の状態）に戻る。また、支点４と、凸部５とバネ材７との接点Ｓを通る線Ｊに対し、突起部６とバネ材７との接点Ｔが軸筒後端２ｂ側に位置すると、バネ材７は、クリップ３の傾動に連動してクリップ３の傾斜とは逆方向に傾斜し、クリップ後端部３ｂ側に働いていたバネ材７の弾発力がクリップ先端部３ａ側に変化する。その結果、図４に示すように、クリップの後端部３ｂに比べ先端部３ａが軸筒２から離間した傾斜状態に切り替わり、この状態が維持される。
【００１８】
クリップ３の先端部の底壁３ｃと軸筒２間に挟持物（図示せず）を挟持するには、図４に示すように、クリップの先端部３ａが軸筒２から離間した状態に切り替え、クリップの先端部３ａと対向する軸筒２間に挟持物を差し込み、クリップの先端部３ａを、支点４と、凸部５とバネ材７との接点Ｓを通る線Ｊに対し、突起部６とバネ材７との接点Ｔが軸筒先端開口部２ａ側に位置する状態まで押圧（図２、３、４の矢印Ｆの逆方向）またはクリップの後端部３ｂを持ち上げる（図２、３、４の矢印Ｆの逆方向）ことにより、クリップ先端部３ａ側に働いていたバネ材７の弾発力をクリップ後端部３ｂ側に変化させる。その結果、図１、図２に示すように、クリップの先端部３ａに比べ後端部３ｂが軸筒２から離間した傾斜状態に切り替わり、この状態が維持されるので挟持物を挟持することができる。
【００１９】
本発明は、クリップの先端部３ａが軸筒２から離間した状態を維持できるので、常に後端部を押圧する必要がなく、比較的厚い挟持物を容易に挟持することができる。また、クリップ３の軸筒２の後端側に延出した後端部３ｂを形成することによって、クリップの先端部の底壁３ｃと軸筒２間と同様に、図５に示すように、ペン立て１６に筆記具を立てた状態で、クリップの後端部の底壁３ｄと対向する軸筒２間に挟持物１５を挟持することが可能となる。また、クリップの先端部の底壁３ｃ及び後端部の底壁３ｄに係止凸部を形成することにより、挟持力を向上することができるので好ましい。
【実施例２】
【００２０】
図６から図８に示すクリップを有する筆記具２１は、クリップ２３の底壁面の軸筒２２側に向かって延びる略三角形状の凸部２５と、この凸部２５に対向する軸筒２２の略三角形状の突起部２６との間に、凸部２５に接する受け部材２８、突起部２６に接する受け部材２９及びコイル状のバネ材２７を配設した以外は、実施例１と同様にして筆記具を得ている。
【００２１】
図６に示す、クリップの先端部２３ａに比べ後端部２３ｂが軸筒２２から離間した傾斜状態からクリップ２３の軸筒２２の後端２２ｂ側に延出した後端部２３ｂを押圧（図６、７、８の矢印ｍ方向）またはクリップの先端部２３ａ側を持ち上げる（図６、７、８の矢印ｆ方向）ことにより、支点２４と、凸部２５と受け部材２８との接点ｓを通る線ｊに対し、突起部２６と受け部材２９との接点ｔが軸筒後端側２２ｂに位置すると、バネ材２７は、クリップ２３の傾動に連動してクリップ２３の傾斜とは逆方向に傾斜し、クリップ後端部２３ｂ側に働いていたバネ材２７の弾発力が、受け部材２８を介してクリップ先端部２３ａ側に変化する。その結果、図８に示すように、クリップの後端部２３ｂに比べ先端部２３ａが軸筒２から離間した傾斜状態に切り替わり、この状態が維持される。
【００２２】
本実施例では便宜上、凸部や突起部の形成位置を、軸筒の軸心に対して同一垂線上に形成したが、凸部や突起部の形成位置は特に限定されるものでなく、支点と、凸部とバネ材または受け部材との接点を通る線上に、突起部とバネ材または受け部材との接点が位置する状態が、クリップの傾動の切り替え点になるので、クリップの先端部または後端部の内壁と対向する軸筒間の挟持可能な間隙を考慮し、支点と、凸部とバネ材または受け部材との接点に対し、突起部とバネ材または受け部材との接点を軸筒の先端側または後端側に形成してもよい。
【００２３】
また、凸部や突起部の形状は略三角形に限らず、円弧状、略四角状等、クリップの傾動作に支障がない範囲で適宜選択して使用することができる。クリップの傾斜状態の切り替えに必要な押圧力または持ち上げ力は、バネ材の弾発力、及び凸部、突起部の形状によって、概ね決定される。バネ材の弾発力が小さい程、切り替えに必要な押圧力または持ち上げ力が小さくなり、バネ材の弾発力が大きい程、切り替えに必要な押圧力または持ち上げ力が大きくなるため挟持力が高く、凸部と突起部の形状が略三角形や円弧状等、凸部、突起部とバネ材、または凸部、突起部と受け部材との接触面積が小さいほうが切り替えに必要な押圧力または持ち上げ力が小さくなる。
【００２４】
クリップの形状も特に限定されるものではないが、クリップの後端部を、支点より軸筒の後端側に延出することによって、クリップの後端部に挟持物を挟持可能となり、新たな係止部を形成する必要がないため外観上の見栄えを悪くすることはない。
【産業上の利用可能性】
【００２５】
以上、本実施例を詳述したが、本発明は、前記実施例に限定されるものではなく、筆記具キャップにクリップを配設する等、特許請求の範囲に記載した本発明の要旨の範囲内で、種々の変更を行うことができる。
【図面の簡単な説明】
【００２６】
【図１】実施例１におけるクリップを有する筆記具を示す縦断面図である。
【図２】図１における、一部省略した要部拡大縦断面図である。
【図３】図１における、クリップの後端部を押圧した状態を示す、一部省略した要部拡大縦断面図である。
【図４】図１における、後端部に比べ先端部が軸筒から離間した傾斜状態を示す、一部省略した要部拡大縦断面図である。
【図５】クリップの後端部に挟持物を挟持した状態を示す外観図である。
【図６】実施例２におけるクリップを有する筆記具の一部省略した要部拡大縦断面図である。
【図７】図６における、クリップの後端部を押圧した状態を示す、一部省略した要部拡大縦断面図である。
【図８】図６における、後端部に比べ先端部が軸筒から離間した傾斜状態を示す、一部省略した要部拡大縦断面図である。
【符号の説明】
【００２７】
１、２１  筆記具
２、２２  軸筒
３、２３  クリップ
３ａ、２３ａ  先端部
３ｂ、２３ｂ  後端部
３ｃ、２３ｃ  先端部の底壁
３ｄ、２３ｄ  後端部の底壁
４、２４  支点
５、２５  凸部
６、２６  突起部
７、２７  バネ材
２８、２９  受け部材
Ｊ  凸部とバネ材との接点を結ぶ線
ｊ  凸部と受け部材との接点を結ぶ線
Ｓ  凸部とバネ材との接点
Ｔ  突起部とバネ材との接点
ｓ  凸部と受け部材との接点
ｔ  突起部と受け部材との接点
【図１】
2005178321.tif 000003
【図２】
2005178321.tif 000004
【図３】
2005178321.tif 000005
【図４】
2005178321.tif 000006
【図５】
2005178321.tif 000007
【図６】
2005178321.tif 000008
【図７】
2005178321.tif 000009
【図８】
2005178321.tif 000010